(57)【要約】【課題】  節水と水の磁化の機能を併せ持ち、長期にわたって使用可能で、さらに取り付けが容易な節水駒を提供する。【解決手段】  流水管の途中に挿入する節水駒であって、円柱形の胴部１と、胴部１の一端に形成した鍔部２と、他端に取り付けた環状の磁石部３とを備え、胴部１が、流通孔４を有し、流通孔４の入口４１を胴部１の一端側面に、出口４２を胴部１の他端側面に形成した。そして、胴部１および磁石部３を覆うカバー５を備え、カバー５は、鍔部２に当接するカバー鍔部６と、磁石部３に係止して胴部１と磁石部３の離間を防ぐ係止部７と、流通孔４の出口４２部分に形成した開口部８とを有する。【選択図】      図１
0003146896.tif 000002
【実用新案登録請求の範囲】
【請求項１】
流水管の途中に挿入する節水駒であって、
円柱形の胴部（１）と、該胴部（１）の一端に形成した鍔部（２）と、他端に取り付けた環状の磁石部（３）とを備え、
前記胴部（１）が、流通孔（４）を有し、該流通孔（４）の入口（４１）を前記胴部（１）の一端側面に、出口（４２）を前記胴部（１）の他端側面または側周面に形成したことを特徴とする節水駒。
【請求項２】
前記胴部（１）および前記磁石部（３）を覆うカバー（５）を備え、
該カバー（５）は、前記鍔部（２）に当接するカバー鍔部（６）と、前記磁石部（３）に係止して前記胴部（１）と前記磁石部（３）の離間を防ぐ係止部（７）と、前記流通孔（４）の出口（４２）部分に形成した開口部（８）とを有することを特徴とする請求項１記載の節水駒。
【考案の詳細な説明】
【技術分野】
【０００１】
本考案は、水道管などの途中に設置して水の流量を抑制する節水駒に関する。
【背景技術】
【０００２】
従来、水道管などの内部に設置して水の流路を狭めることで、水の流量を抑制し、水の使用量を節約するための器具が知られている。一方で、水道管などの内部または外周部に磁石を設置して、磁化水を得るための器具も知られている。
【考案の開示】
【考案が解決しようとする課題】
【０００３】
しかしながら、従来、節水のための器具と、水を磁化するための器具とは、それぞれ独立したもので、両方の効果を得ようとすれば、それぞれに取り付ける作業が必要であり、手間がかかっていた。また、目詰まりや素材の劣化によって定期的に交換が必要であるものも多く、この交換作業にも手間やコストがかかっていた。さらに、取り付けに際して水道の元栓を閉じなければならないものもあり、その場合生活や業務などに支障が生じるという問題があった。
【０００４】
本考案は、上記事情を鑑みたものであり、節水と水の磁化の機能を併せ持ち、長期にわたって使用可能で、さらに取り付けが容易な節水駒を提供することを目的とする。
【課題を解決するための手段】
【０００５】
本考案のうち請求項１の考案は、流水管の途中に挿入する節水駒であって、円柱形の胴部と、該胴部の一端に形成した鍔部と、他端に取り付けた環状の磁石部とを備え、前記胴部が、流通孔を有し、該流通孔の入口を前記胴部の一端側面に、出口を前記胴部の他端側面または側周面に形成したことを特徴とする。
【０００６】
本考案のうち請求項２の考案は、前記胴部および前記磁石部を覆うカバーを備え、該カバーは、前記鍔部に当接するカバー鍔部と、前記磁石部に係止して前記胴部と前記磁石部の離間を防ぐ係止部と、前記流通孔の出口部分に形成した開口部とを有することを特徴とする。
【考案の効果】
【０００７】
本考案のうち請求項１の考案によれば、水の流路が流通孔によって絞られるので、水圧を変えることなく水量を抑えることができ、水道の使用者が意識することなく水の使用量を節約することができる。そして、流通孔を通った水は、出口が他端側面にある場合には磁石部の内周側を通過し、出口が側周面にある場合には磁石部の外周側を通過して磁化され、磁化水を得ることができる。また、流路が単純なので目詰まりを起こしにくく、可動部分などがなく劣化も生じにくいので、長期にわたって使用することが可能である。さらに、水道管などの接続部分に鍔部を挟み込んで取り付けるだけでよいので、取付作業が極めて容易であり、また、蛇口の吐水パイプやシャワーヘッドの根元など、止水栓より下流側に取り付けることができるので、取付時に水道の元栓を閉じる必要がなく、生活や業務に支障を生じない。
【０００８】
本考案のうち請求項２の考案によれば、カバーによって胴部と磁石部が離間することを防ぐので、接着剤を使用することなく胴部と磁石部を固定することができる。カバーには流通孔の出口部分に開口部を設けてあるので、水の流通が妨げられることはない。
【考案を実施するための最良の形態】
【０００９】
本考案の節水駒の具体的な構成について、各図面に基づいて説明する。図１に示すのは、節水駒の第一実施例の中心軸断面図である。この節水駒は、胴部１と、磁石部３と、胴部１および磁石部３を覆うカバー５とを備えるものである。
胴部１は、円柱形で、一端に鍔部２を形成してあり、一端側面から他端側面に向けて貫通する流通孔４を有する。流通孔４は、一端側が入口４１、他端側が出口４２に相当するが、胴部１の中心軸に対して傾斜しており、入口４１と出口４２は軸に対してずれている。そして、胴部１の他端には、環状の磁石部３が設けてある。磁石部３は、外径が胴部１の外径と略同一で、中心孔３１を有しており、中心孔３１と流通孔４の出口４２とが連通している。そして、カバー５は、円筒形で、胴部１および磁石部３に被せてあり、一端側にカバー鍔部６を形成してある。カバー鍔部６は胴部１の鍔部２に当接しており、鍔部２の直径とカバー鍔部６の直径は略同一である。また、カバー５の他端側は、磁石部３の先端に沿って内側に折れ曲がって係止部７が形成してあり、さらに係止部７の内側は開口部８としてある。なお、カバー５の外径は、対象とする水道管の中に挿入できる大きさとし、鍔部２およびカバー鍔部６の直径は、水道管の外径と略同じ大きさとする。たとえば、カバー５の外径（カバー５を設けない場合は胴部１および磁石部３の外径）を１２ｍｍ、鍔部２およびカバー鍔部６の外径を１５．５ｍｍとすれば、一般的な家庭用の水道管に対応することができる。また、胴部１および鍔部２は真鍮からなり、カバー５は樹脂からなるものである。さらに、磁石部３はネオジウム磁石からなり、表面磁束密度が４３００Ｇのものを用いた。そして、磁石部３は、防錆のために、塩化ビニル、ポリウレタンやアクリルなどの樹脂や、その他の磁力に影響しない素材でコーティングすることが望ましい。
【００１０】
次に、この節水駒を実際に使用する場合について説明する。図２は、節水駒を自在水栓に取り付けた場合の例を示し、（ａ）は節水駒の中心軸断面図（（ｂ）のＡ−Ａ線断面図）、（ｂ）は自在水栓の外観図である。自在水栓は、止水栓１０１の下流側に首振り自在の吐水パイプ１０２を接続したもので、この吐水パイプ１０２の根元に節水駒Ｋを挿入してある。節水駒Ｋの鍔部２およびカバー鍔部６が吐水パイプ１０２の端部に係止し、吐水パイプ１０２と止水栓側管１０３とで鍔部２およびカバー鍔部６を挟み込み、締結部材１０４で締め付けることで、節水駒Ｋが固定される。止水栓側管１０３から流れてくる水は、節水駒Ｋの流通孔４を通過することで水量が絞られ、さらに磁石部３の中心孔３１を通過することで磁化され、吐水パイプ１０２の先端から吐出される。
また、図３は、節水駒をシャワーヘッドに取り付けた場合の例を示す。シャワーヘッド２０１は、シャワーホース２０２の先端に接続部材２０３を挿入し、シャワーヘッド２０１と接続部材２０３とを併せて締結部材２０４で締め付けて取り付けてあり、このシャワーヘッド２０１の根元に節水駒Ｋを挿入してある。節水駒Ｋの鍔部２およびカバー鍔部６がシャワーヘッド２０１の端部に係止し、シャワーヘッド２０１と接続部材２０３とで鍔部２およびカバー鍔部６を挟み込み、締結部材２０４で締め付けることで、節水駒Ｋが固定される。シャワーホース２０２から流れてくる水は、節水駒Ｋの流通孔４を通過することで水量が絞られ、さらに磁石部３の中心孔３１を通過することで磁化され、シャワーヘッド２０１の先端から吐出される。
【００１１】
このように構成した節水駒は、流通孔が水の流路を狭めるので、水圧を変えることなく水量を抑えることができる。よって、水の使用感は変わらないので、使用者が意識することなく水の使用量を節約することができる。また、流通孔を通った水は、磁石部を通過して磁化されるので、蛇口やシャワーから出る水を磁化水にすることができる。ここで、流通孔が軸に対して傾斜していることから、流通孔から出る水は磁石部の内周面に接触して流れるため、より効率的に磁化される。さらに、胴部の鍔部とカバーのカバー鍔部とを併せて挟み込んで固定することで、カバーの係止部が磁石部に係止して、胴部と磁石部との離間を防ぐので、胴部と磁石部の接合に接着剤を用いる必要がなく、接着剤が水に溶け出すおそれがない。そして、このように流路が単純なので目詰まりを起こしにくく、可動部分などがなく劣化も生じにくく、さらに接着剤も使用していないので、長期にわたって使用することが可能である。また、自在水栓に取り付ける場合、シャワーヘッドに取り付ける場合のいずれにおいても、吐水パイプまたはシャワーヘッドに節水駒を挿入して、あとはそれぞれの通常の接続手順どおりに接続するだけでよいので、取り付けが非常に容易である。そして、止水栓の下流側に取り付けることができるので、取付時に水道の元栓を閉じる必要がなく、生活や業務に支障を生じない。
【００１２】
次に、節水駒の第二実施例について説明する。第二実施例は、図４に示すように、磁石部３の上端部分の内径を大きくして段部３２を設け、この段部３２に胴部１の下端を嵌め込んである。その他、胴部１、鍔部２および流通孔４の構成については、第一実施例と同様であるが、胴部１と磁石部３とは人体に無害な接着剤により接着してある。このように形成することで、胴部１と磁石部３との接触面積が大きくなり、確実に接着することができる。流路を流れる水は、流通孔４の入口４１から流入して水量が抑えられ、出口４２から排出されて磁石部３の内周側に接触しながら流れることで、磁化水となる。なお、この節水駒に、第一実施例と同様のカバーを取り付けてもよい。
【００１３】
次に、節水駒の第三実施例について説明する。第三実施例は、図５に示すように、流通孔４の入口４１を、徐々に径が小さくなるテーパ形状としてあり、さらに、出口４２が二又に分かれて他端側面に貫通している。その他、胴部１、鍔部２および磁石部３の構成については、第一実施例と同様であるが、胴部１と磁石部３とは人体に無害な接着剤により接着してある。このように形成することで、流路を流れる水は、流通孔４の入口４１から流入して水量が抑えられ、二又に分かれた出口４２から排出され、磁石部３の内周側に接触しながら流れることで、磁化水となる。なお、この節水駒に、第一実施例と同様のカバーを取り付けてもよい。
【００１４】
次に、節水駒の第四実施例について説明する。第四実施例は、図６（ａ）の中心軸断面図に示すように、流通孔４の入口４１を、徐々に径が小さくなるテーパ形状としてあり、さらに、出口４２が二又に分かれて側周面に貫通している。その他、胴部１、鍔部２および磁石部３の構成については、第一実施例と同様である。そして、カバー５は、図６（ｂ）の側面図に示すように、一端側にカバー鍔部６を有し、他端側には磁石部３に沿って内側にすぼまった係止部７が形成してあり、側面の両側の出口４２に対応する位置から他端側へ向けて切り欠いて開口部８を形成してある。このように形成することで、流路を流れる水は、流通孔４の入口４１から流入して水量が抑えられ、胴部１側周面両側の出口４２から排出され、開口部８を通って磁石部３の外周側に接触しながら流れることで、磁化水となる。
【００１５】
本考案の節水駒は、上記の実施形態に限定されない。各部の形状は要件を満たす範囲内で自由に設定することができ、例えば、流通孔の出口は三つ又や四つ又に分かれていてもよいし、カバーの係止部は、胴部と磁石部が離間することを防ぐことができるものであれば、どのような形状であってもよい。また、各部の素材も自由に選択することができ、例えば、胴部はステンレスなど、腐食しない金属や、セラミックス、樹脂などからなるものでもよい。また、磁石部に用いる磁石も、フェライト磁石など、種々のものを用いることができるが、磁石の表面磁束密度は、水を十分に磁化するために、１０００Ｇ以上であることが好ましく、３８００〜５０００Ｇ程度であればさらに好ましい。さらに、カバーも種々の樹脂や金属からなるものであってもよい。
【図面の簡単な説明】
【００１６】
【図１】本考案の節水駒の第一実施例の中心軸断面図。
【図２】節水駒を自在水栓に取り付けた場合の説明図。
【図３】節水駒をシャワーヘッドに取り付けた場合の説明図。
【図４】節水駒の第二実施例の中心軸断面図。
【図５】節水駒の第三実施例の中心軸断面図。
【図６】節水駒の第四実施例の中心軸断面図および側面図。
【符号の説明】
【００１７】
１  胴部
２  鍔部
３  磁石部
４  流通孔
５  カバー
６  カバー鍔部
７  係止部
８  開口部
４１  入口
４２  出口
【図１】
0003146896.tif 000003
【図２】
0003146896.tif 000004
【図３】
0003146896.tif 000005
【図４】
0003146896.tif 000006
【図５】
0003146896.tif 000007
【図６】
0003146896.tif 000008